(57)【要約】【課題】ホームページのアドレスを直接入力するとき、入力手段が数字を主体とする携帯電話にとっては最適な入力手段ではないという問題があった。【解決手段】インタネットホームページ接続システムは、携帯電話１１に内蔵されたカメラ１１４で撮像した画像から文字情報を認識するインタネット２内に配置されたＯＣＲシステム２２ａと、結果を携帯電話に送り返し、得られた認識結果から目的、関連するホームページのアドレスを検索するためにインタネット内に配置されたホームページ検索システム２１で構成し、マーケティング情報収集システムは、ホームページ検索システムとＯＣＲシステムと、ホームページサーバ２ａ０と、ホームページサーバと同じ広告主企業の広告主企業内イントラネット２ａ内に備えられたデータ収集サーバ２ａ１で構成し、ホームページの接続結果を収集し、携帯電話のユーザ情報と照合しマーケティング情報を収集する。【選択図】　　　図１
2004038367.tif 000002
【特許請求の範囲】
【請求項１】
携帯電話に内蔵されたカメラと、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えることを特徴とするカメラ付き携帯電話を用いたインタネットホームページ接続システム。
【請求項２】
携帯電話に内蔵されたカメラと、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えることを特徴とするカメラ付き携帯電話を用いたインタネットホームページ接続システム。
【請求項３】
携帯電話に内蔵されたカメラと、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えることを特徴とするカメラ付き携帯電話を用いたインタネットホームページ接続システム。
【請求項４】
携帯電話に内蔵されたカメラと、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、広告主企業内イントラネット内に配置された広告を発信した各企業のデータ収集サーバでマーケティング情報を収集し、画像の元となる広告主企業内イントラネット内に配置された広告を発信した各企業のホームページサーバへ対応するマーケティング情報を送付することを特徴とするカメラ付き携帯電話を用いたマーケティング情報収集システム。
【請求項５】
携帯電話に内蔵されたカメラと、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、広告主企業内イントラネット内に配置された広告を発信した各企業のデータ収集サーバでマーケティング情報を収集し、画像の元となる広告主企業内イントラネット内に配置された広告を発信した各企業のホームページサーバへ対応するマーケティング情報を送付することを特徴とするカメラ付き携帯電話を用いたマーケティング情報収集システム。
【請求項６】
携帯電話に内蔵されたカメラと、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、広告主企業内イントラネット内に配置された広告を発信した各企業のデータ収集サーバでマーケティング情報を収集し、画像の元となる広告主企業内イントラネット内に配置された広告を発信した各企業のホームページサーバへ対応するマーケティング情報を送付することを特徴とするカメラ付き携帯電話を用いたマーケティング情報収集システム。
【請求項７】
携帯電話に内蔵されたカメラと、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、インタネット内に配置された広告を発信した各企業のデータ収集サーバでマーケティング情報を収集し、画像の元となるインタネット内に配置された広告を発信した各企業のホームページサーバへ対応するマーケティング情報を送付することを特徴とするカメラ付き携帯電話を用いたマーケティング情報収集システム。
【請求項８】
携帯電話に内蔵されたカメラと、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、インタネット内に配置された広告を発信した各企業のデータ収集サーバでマーケティング情報を収集し、画像の元となるインタネット内に配置された広告を発信した各企業のホームページサーバへ対応するマーケティング情報を送付することを特徴とするカメラ付き携帯電話を用いたマーケティング情報収集システム。
【請求項９】
携帯電話に内蔵されたカメラと、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、インタネット内に配置された広告を発信した各企業のデータ収集サーバでマーケティング情報を収集し、画像の元となるインタネット内に配置された広告を発信した各企業のホームページサーバへ対応するマーケティング情報を送付することを特徴とするカメラ付き携帯電話を用いたマーケティング情報収集システム。
【請求項１０】
インタネット接続手段を備えたカメラ付き携帯電話に備えられたカメラにより撮像された画像から、ホームページアドレスなどの情報を読み取る画像識別手段と、前記画像識別手段により読み取られた識別結果の情報をもとに、目的のホームページへの接続を行うための接続手段とから構成されることを特徴とするカメラ付き携帯電話を用いたインタネットホームページ接続システム。
【請求項１１】
インタネット接続手段を備えたカメラ付き携帯電話に備えられたカメラにより撮像された画像から、ホームページアドレスなどの情報を読み取る画像識別手段と、画像識別手段により読み取られた識別結果の情報をもとに、目的のホームページへの接続を行うための接続手段とから構成され、画像識別手段としてカメラ付き携帯電話外部かつインタネット内部に備え、さらに携帯電話からカメラにより撮像された画像を送信する画像送信手段と、送信された画像からホームページアドレスなどの文字部分を識別するための文字認識システムと、画像システムより識別された情報を携帯電話へ返信する返信手段を備えることを特徴とするカメラ付き携帯電話を用いたインタネットホームページ接続システム。
【請求項１２】
インタネット接続手段を備えたカメラ付き携帯電話に備えられたカメラにより撮像された画像から、ホームページアドレスなどの文字部分を識別するための文字認識手段を携帯電話内部に備えた画像識別手段と、前記画像識別手段により読み取られた識別結果の情報をもとに、目的のホームページへの接続を行うための接続手段とから構成されることを特徴とするカメラ付き携帯電話を用いたインタネットホームページ接続システム。
【請求項１３】
インタネット接続手段を備えたカメラ付き携帯電話に備えられたカメラにより撮像された画像から、ホームページアドレスなどの情報を読み取る画像識別手段と、画像識別手段により読み取られた識別結果の情報をもとに、目的のホームページへの接続を行うための接続手段とから構成され、画像識別手段としてカメラ付き携帯電話外部かつインタネット内部に備え、画像識別手段として、企業や商品のロゴマーク、登録商標名の文字画像を対象とする画像認識手段と、画像認識手段による認識結果を企業のホームページアドレスや商品宣伝用アドレスと対応付けるデータベースと照合し、適合するホームページアドレスを携帯電話に返信するホームページ検索手段を備え、さらに携帯電話からカメラにより撮像された画像を送信する画像送信手段と、送信された画像からホームページアドレスなどの文字部分を識別するための文字認識システムと、画像システムより識別された情報を携帯電話へ返信する返信手段を備えることを特徴とするカメラ付き携帯電話を用いたインタネットホームページ接続システム。
【請求項１４】
インタネット接続手段を備えたカメラ付き携帯電話に備えられたカメラにより撮像された画像から、ホームページアドレスなどの情報を読み取る画像識別手段と、画像識別手段により読み取られた識別結果の情報をもとに、目的のホームページへの接続を行うための接続手段とから構成され、画像識別手段としてカメラ付き携帯電話外部かつインタネット内部に備え、カメラより撮像された画像からバーコード部分を切り出し、認識するバーコード読み取り手段を備え、その認識結果を企業のホームページアドレスや商品宣伝用アドレスと対応付けるデータベースをホームページ検索手段に備え、画像識別手段として、企業や商品のロゴマーク、登録商標名の文字画像を対象とする画像認識手段と、画像認識手段による認識結果を企業のホームページアドレスや商品宣伝用アドレスと対応付けるデータベースと照合し、適合するホームページアドレスを携帯電話に返信するホームページ検索手段を備え、さらに携帯電話からカメラにより撮像された画像を送信する画像送信手段と、送信された画像からホームページアドレスなどの文字部分を識別するための文字認識システムと、画像システムより識別された情報を携帯電話へ返信する返信手段を備えることを特徴とするカメラ付き携帯電話を用いたインタネットホームページ接続システム。
【請求項１５】
携帯電話に内蔵されたカメラとＧＰＳ機能を備え、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、広告主企業内イントラネット内に配置された広告を発信した各企業のデータ収集サーバで画像を発信した場所を含むマーケティング情報を収集し、画像の元となる広告主企業内イントラネット内に配置された広告を発信した各企業のホームページサーバへ対応する画像を発信した場所を含むマーケティング情報を送付することを特徴とするカメラ付き携帯電話を用いたマーケティング情報収集システム。
【請求項１６】
携帯電話に内蔵されたカメラとＧＰＳ機能を備え、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、広告主企業内イントラネット内に配置された広告を発信した各企業のデータ収集サーバで画像を発信した場所を含むマーケティング情報を収集し、画像の元となる広告主企業内イントラネット内に配置された広告を発信した各企業のホームページサーバへ対応する画像を発信した場所を含むマーケティング情報を送付することを特徴とするカメラ付き携帯電話を用いたマーケティング情報収集システム。
【請求項１７】
携帯電話に内蔵されたカメラとＧＰＳ機能を備え、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、広告主企業内イントラネット内に配置された広告を発信した各企業のデータ収集サーバで画像を発信した場所を含むマーケティング情報を収集し、画像の元となる広告主企業内イントラネット内に配置された広告を発信した各企業のホームページサーバへ対応する画像を発信した場所を含むマーケティング情報を送付することを特徴とするカメラ付き携帯電話を用いたマーケティング情報収集システム。
【請求項１８】
携帯電話に内蔵されたカメラとＧＰＳ機能を備え、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、インタネット内に配置された広告を発信した各企業のデータ収集サーバで画像を発信した場所を含むマーケティング情報を収集し、画像の元となるインタネット内に配置された広告を発信した各企業のホームページサーバへ対応する画像を発信した場所を含むマーケティング情報を送付することを特徴とするカメラ付き携帯電話を用いたマーケティング情報収集システム。
【請求項１９】
携帯電話に内蔵されたカメラとＧＰＳ機能を備え、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、インタネット内に配置された広告を発信した各企業のデータ収集サーバで画像を発信した場所を含むマーケティング情報を収集し、画像の元となるインタネット内に配置された広告を発信した各企業のホームページサーバへ対応する画像を発信した場所を含むマーケティング情報を送付することを特徴とするカメラ付き携帯電話を用いたマーケティング情報収集システム。
【請求項２０】
携帯電話に内蔵されたカメラとＧＰＳ機能を備え、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、インタネット内に配置された広告を発信した各企業のデータ収集サーバで画像を発信した場所を含むマーケティング情報を収集し、画像の元となるインタネット内に配置された広告を発信した各企業のホームページサーバへ対応する画像を発信した場所を含むマーケティング情報を送付することを特徴とするカメラ付き携帯電話を用いたマーケティング情報収集システム。
【請求項２１】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、撮像した画像を携帯電話網やインタネットを通じて、該当の認識システムであるＯＣＲシステムに転送し、ＯＣＲシステムは得られた画像から文字の部分を、さらにはホームページのアドレスもしくはそれに関連する文字列部分を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項２２】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、撮像した画像を携帯電話網やインタネットを通じて、該当の認識システムであるＯＣＲシステムに転送し、ＯＣＲシステムは得られた画像から文字の部分を、さらにはホームページのアドレスもしくはそれに関連する文字列部分を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【請求項２３】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、撮像した画像を携帯電話網やインタネットを通じて、該当の認識システムである画像識別システムに転送し、画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項２４】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、撮像した画像を携帯電話網やインタネットを通じて、該当の認識システムである画像識別システムに転送し、画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【請求項２５】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、撮像した画像を携帯電話網やインタネットを通じて、該当の認識システムであるコードデコーダ付画像識別システムに転送し、コードデコーダ付画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項２６】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、撮像した画像を携帯電話網やインタネットを通じて、該当の認識システムであるコードデコーダ付画像識別システムに転送し、コードデコーダ付画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【請求項２７】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、撮像した画像を携帯電話網やインタネットを通じて、該当の認識システムであるパターンマッチングシステムに転送し、パターンマッチングシステムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項２８】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、撮像した画像を携帯電話網やインタネットを通じて、該当の認識システムであるパターンマッチングシステムに転送し、パターンマッチングシステムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【請求項２９】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、携帯電話の内蔵するＯＣＲシステムで得られた画像から文字の部分を、さらにはホームページのアドレスもしくはそれに関連する文字列部分を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項３０】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、携帯電話の内蔵するＯＣＲシステムで得られた画像から文字の部分を、さらにはホームページのアドレスもしくはそれに関連する文字列部分を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【請求項３１】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、携帯電話の内蔵する画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項３２】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、携帯電話の内蔵する画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【請求項３３】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、携帯電話の内蔵するコードデコーダ付画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項３４】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、携帯電話の内蔵するコードデコーダ付画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【請求項３５】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、携帯電話の内蔵するパターンマッチングシステムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現することを特徴とするカメラ付き携帯電話を用いたインタネットホームページ接続方法。
【請求項３６】
携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、携帯電話の内蔵するパターンマッチングシステムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新することを特徴とするカメラ付き携帯電話を用いたマーケティング情報収集方法。
【発明の詳細な説明】
【０００１】
【発明の属する技術分野】
本発明はカメラ付き携帯電話を用いたインタネットホームページ接続システムおよびマーケティング情報収集システムとその方法に関し、特に携帯電話を用いたインタネットホームページ接続システム、特に携帯電話に内蔵されたカメラにより撮像された画像にもとづく文字、図形認識手段を利用してホームページに接続するものと、携帯電話を媒介とするマーケティング情報収集システム、特に携帯電話に内蔵されたカメラにより撮像された画像をもとにマーケティング情報を収集する、カメラ付き携帯電話を用いたインタネットホームページ接続システムおよびマーケティング情報収集システムとその方法に関する。
【０００２】
【従来の技術】
近年、携帯電話にインタネット接続機能が備えられるようになると、携帯電話専用のホームページや関連するサービスが提供されるようになってきた。
【０００３】
しかし、インタネットはもともとタイプライタ型の入力手段をもつ卓上型コンピュータを端末として利用することが前提となって発展してきたものであるため、ホームページへの接続手段としては、卓上型コンピュータで用いられる手段同様、ホームページアドレスそのものを直接キー入力するか、別のホームページの上に掲載された広告や、リンクと呼ばれる目的のホームページアドレスを埋め込んだ文字情報を指定することで接続を行う手段がそのほとんどである。
【０００４】
そのホームページのアドレスの通知手段も、新聞、雑誌、ポスターなど従来の紙に印刷されたもの、またはテレビ放送の画面等が主体であり、ホームページを見ようとするユーザは、それらに書かれたアドレスを直接入力することによって接続することとなる。
【０００５】
さらに、携帯電話に備えられた入力手段が数字を主体とするものであることから入力手段をさらに簡略にするべく、インタネット内部のホームページ検索システムと連携し、ホームページ検索システムが出力した数桁の数字からなるコードをホームページ検索システムのホームページ上でユーザが入力することで目的のホームページに接続する手段も考案されている。
【０００６】
これらの手段によって接続されたホームページに、今後も接続していきたいとユーザが考えた場合は、ページに示されているアドレスの文字列を携帯電話のホームページ接続用メモリ領域（以下、お気に入り）に登録することで、次回からの接続を簡単にすることができることになる。
【０００７】
これらの接続手段を利用した広告や製品のマーケティングも考案されており、あるホームページに掲載された広告に対して、何人の人がそれを選択して広告が示したホームページに接続したのかを集計するための手段が考案されている。
【０００８】
さらには、広告が表示されているホームページや、広告を選択したユーザが返信したアンケート、または携帯電話自身の持つユーザの職業、年齢、性別、出身地などの情報をもとに広告がどれだけ見られたか、どの媒体からユーザはこの広告に興味をもったのか、この情報をどこから入手したのか、最終的にはどの媒体の広告がもっとも効果的であったかなどを集計し、マーケティングの資料とすることとなる。
【０００９】
上述した従来のホームページ接続手段においては、ホームページのアドレスを直接入力する第１の手段ではアドレス自体、規定のヘッダ部分（ｈｔｔｐ：／／のところ）を除いても最低２つ、通常３〜４つの英数字からなるドメイン名やディレクトリ名をピリオドやスラッシュをはさんで並べる形（たとえばｈｔｔｐ：／／ｗｗｗ．ｎｅｃ．ｃｏｍ／ｔｏｐ／）になっているため、入力手段が数字を主体とする携帯電話にとっては最適な入力手段ではないという問題があった。
【００１０】
それを解決すべく数桁の数字コードをアドレスに対応させる第２の手段では、コードとアドレスの対応関係が、その手段を採用しているホームページ検索サービスごとに独自のものを採用しているため、コード番号自体をお気に入りに登録することの効果は得られないという問題点があった。
【００１１】
またコードをキー入力するにも、対応したホームページ検索サービスに一度接続しておく必要があるという問題点があった。そしてインタネットホームページがリンク機能をもつことから、コード番号を掲載する場所がインタネット内である有効性はまったくなく、むしろ雑誌などの紙の媒体等に限られるという問題点があった。
【００１２】
一方、これらの接続手段を利用した広告や製品の従来のマーケティング手段においては、アクセス元のページがホームページの検索サービスや、広告を掲載した他のホームページに特化するため、マーケティングの対象となるホームページのアクセス情報の集計内容が、アクセス数や、別のホームページ上の広告の選択回数、それに対応するユーザの傾向などに限られてしまうという問題点がある。
【００１３】
そして最終的には、ホームページアドレスの新聞、雑誌、ポスター等の広告媒体への掲載は近年かなり一般的に行われているものの、上記の理由からその広告に対して興味をもったユーザがいたとしても、すぐにホームページへの接続という行動に結びつきにくく、このためにこれらの情報の掲載に対する効果があらわれにくい上にその動向をシステム上でチェックできないという問題点がある。
【００１４】
【発明が解決しようとする課題】
上述した従来のインタネットホームページ接続システムおよびマーケティング情報収集システムは、
第１の問題点は、ホームページのアドレスを直接入力する手段では、入力手段が数字を主体とする携帯電話にとっては最適な入力手段ではないという問題があった。
【００１５】
その理由は、アドレス自体、規定のヘッダ部分を除いても最低２つ、通常３〜４つの英数字からなるドメイン名やディレクトリ名をピリオドやスラッシュをはさんで並べる形になっているためである。
【００１６】
第２の問題点は、数桁の数字コードをアドレスに対応させる手段では、コード番号自体をお気に入りに登録することの効果は得られないという問題点があった。
【００１７】
その理由は、コードとアドレスの対応関係が、その手段を採用しているホームページ検索サービスごとに独自のものを採用しているためである。
【００１８】
第３の問題点は、コードをキー入力するにも、対応したホームページ検索サービスに一度接続しておく必要があるという問題点があった。
【００１９】
その理由は、コードとアドレスの対応関係が、その手段を採用しているホームページ検索サービス自体が備えているからである。
【００２０】
第４の問題点は、インタネットホームページのコード番号を掲載する場所がインタネット内である有効性は全くなく、雑誌などの紙の媒体等に限られるという問題点があった。
【００２１】
その理由は、インタネットホームページがリンク機能をもつことから、コード番号を掲載する場所がインタネット内である有効性は全くないからである。
【００２２】
第５の問題点は、これらの接続手段を利用した広告や製品の従来のマーケティング手段においては、マーケティングの対象となるホームページのアクセス情報の集計内容が、アクセス数や、別のホームページ上の広告の選択回数、それに対応するユーザの傾向などに限られてしまうという問題点がある。
【００２３】
その理由は、アクセス元のページがホームページの検索サービスや、広告を掲載した他のホームページに特化されるためである。
【００２４】
第６の問題点は、ホームページアドレスの新聞、雑誌、ポスター等の広告媒体への掲載が一般的に行われているものの、ホームページへの接続という行動に結びつきにくく、このためにこれらの情報の掲載に対する効果があらわれにくい上にその動向をシステム上でチェックできないという問題点がある。
【００２５】
その理由は、ホームページのアドレスを直接入力する必要があるからである。
【００２６】
本発明の目的は、目的のホームページへの接続を簡単に、かつ迅速に行うことができ、今後の広告やマーケティング情報の収集をより効果的に行うカメラ付き携帯電話を用いたインタネットホームページ接続システムおよびマーケティング情報収集システムとその方法を提供することにある。
【００２７】
【課題を解決するための手段】
第１の発明のカメラ付き携帯電話を用いたインタネットホームページ接続システムは、携帯電話に内蔵されたカメラと、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備える。
【００２８】
第２の発明のカメラ付き携帯電話を用いたインタネットホームページ接続システムは、携帯電話に内蔵されたカメラと、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備える。
【００２９】
第３の発明のカメラ付き携帯電話を用いたインタネットホームページ接続システムは、携帯電話に内蔵されたカメラと、カメラによって撮像された画像から画像情報を認識するための、携帯電話に内蔵された画像識別システムと、その認識結果から目的、および関連するホームページのアドレスを検索するためにインタネット内に配置されたホームページ検索システムを備える。
【００３０】
第４の発明のカメラ付き携帯電話を用いたマーケティング情報収集システムは、携帯電話に内蔵されたカメラと、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、広告主企業内イントラネット内に配置された広告を発信した各企業のデータ収集サーバでマーケティング情報を収集し、画像の元となる広告主企業内イントラネット内に配置された広告を発信した各企業のホームページサーバへ対応するマーケティング情報を送付する。
【００３１】
第５の発明のカメラ付き携帯電話を用いたマーケティング情報収集システムは、携帯電話に内蔵されたカメラと、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、広告主企業内イントラネット内に配置された広告を発信した各企業のデータ収集サーバでマーケティング情報を収集し、画像の元となる広告主企業内イントラネット内に配置された広告を発信した各企業のホームページサーバへ対応するマーケティング情報を送付する。
【００３２】
第６の発明のカメラ付き携帯電話を用いたマーケティング情報収集システムは、携帯電話に内蔵されたカメラと、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、広告主企業内イントラネット内に配置された広告を発信した各企業のデータ収集サーバでマーケティング情報を収集し、画像の元となる広告主企業内イントラネット内に配置された広告を発信した各企業のホームページサーバへ対応するマーケティング情報を送付する。
【００３３】
第７の発明のカメラ付き携帯電話を用いたマーケティング情報収集システムは、携帯電話に内蔵されたカメラと、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、インタネット内に配置された広告を発信した各企業のデータ収集サーバでマーケティング情報を収集し、画像の元となるインタネット内に配置された広告を発信した各企業のホームページサーバへ対応するマーケティング情報を送付する。
【００３４】
第８の発明のカメラ付き携帯電話を用いたマーケティング情報収集システムは、携帯電話に内蔵されたカメラと、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、インタネット内に配置された広告を発信した各企業のデータ収集サーバでマーケティング情報を収集し、画像の元となるインタネット内に配置された広告を発信した各企業のホームページサーバへ対応するマーケティング情報を送付する。
【００３５】
第９の発明のカメラ付き携帯電話を用いたマーケティング情報収集システムは、携帯電話に内蔵されたカメラと、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話のユーザ情報と照合することにより、インタネット内に配置された広告を発信した各企業のデータ収集サーバでマーケティング情報を収集し、画像の元となるインタネット内に配置された広告を発信した各企業のホームページサーバへ対応するマーケティング情報を送付する。
【００３６】
第１０の発明のカメラ付き携帯電話を用いたインタネットホームページ接続システムは、インタネット接続手段を備えたカメラ付き携帯電話に備えられたカメラにより撮像された画像から、ホームページアドレスなどの情報を読み取る画像識別手段と、前記画像識別手段により読み取られた識別結果の情報をもとに、目的のホームページへの接続を行うための接続手段とから構成される。
【００３７】
第１１の発明のカメラ付き携帯電話を用いたインタネットホームページ接続システムは、インタネット接続手段を備えたカメラ付き携帯電話に備えられたカメラにより撮像された画像から、ホームページアドレスなどの情報を読み取る画像識別手段と、画像識別手段により読み取られた識別結果の情報をもとに、目的のホームページへの接続を行うための接続手段とから構成され、画像識別手段としてカメラ付き携帯電話外部かつインタネット内部に備え、さらに携帯電話からカメラにより撮像された画像を送信する画像送信手段と、送信された画像からホームページアドレスなどの文字部分を識別するための文字認識システムと、画像システムより識別された情報を携帯電話へ返信する返信手段を備える。
【００３８】
第１２の発明のカメラ付き携帯電話を用いたインタネットホームページ接続システムは、インタネット接続手段を備えたカメラ付き携帯電話に備えられたカメラにより撮像された画像から、ホームページアドレスなどの文字部分を識別するための文字認識手段を携帯電話内部に備えた画像識別手段と、前記画像識別手段により読み取られた識別結果の情報をもとに、目的のホームページへの接続を行うための接続手段とから構成される。
【００３９】
第１３の発明のカメラ付き携帯電話を用いたインタネットホームページ接続システムは、インタネット接続手段を備えたカメラ付き携帯電話に備えられたカメラにより撮像された画像から、ホームページアドレスなどの情報を読み取る画像識別手段と、画像識別手段により読み取られた識別結果の情報をもとに、目的のホームページへの接続を行うための接続手段とから構成され、画像識別手段としてカメラ付き携帯電話外部かつインタネット内部に備え、画像識別手段として、企業や商品のロゴマーク、登録商標名の文字画像を対象とする画像認識手段と、画像認識手段による認識結果を企業のホームページアドレスや商品宣伝用アドレスと対応付けるデータベースと照合し、適合するホームページアドレスを携帯電話に返信するホームページ検索手段を備え、さらに携帯電話からカメラにより撮像された画像を送信する画像送信手段と、送信された画像からホームページアドレスなどの文字部分を識別するための文字認識システムと、画像システムより識別された情報を携帯電話へ返信する返信手段を備える。
【００４０】
第１４の発明のカメラ付き携帯電話を用いたインタネットホームページ接続システムは、インタネット接続手段を備えたカメラ付き携帯電話に備えられたカメラにより撮像された画像から、ホームページアドレスなどの情報を読み取る画像識別手段と、画像識別手段により読み取られた識別結果の情報をもとに、目的のホームページへの接続を行うための接続手段とから構成され、画像識別手段としてカメラ付き携帯電話外部かつインタネット内部に備え、カメラより撮像された画像からバーコード部分を切り出し、認識するバーコード読み取り手段を備え、その認識結果を企業のホームページアドレスや商品宣伝用アドレスと対応付けるデータベースをホームページ検索手段に備え、画像識別手段として、企業や商品のロゴマーク、登録商標名の文字画像を対象とする画像認識手段と、画像認識手段による認識結果を企業のホームページアドレスや商品宣伝用アドレスと対応付けるデータベースと照合し、適合するホームページアドレスを携帯電話に返信するホームページ検索手段を備え、さらに携帯電話からカメラにより撮像された画像を送信する画像送信手段と、送信された画像からホームページアドレスなどの文字部分を識別するための文字認識システムと、画像システムより識別された情報を携帯電話へ返信する返信手段を備える。
【００４１】
第１５の発明のカメラ付き携帯電話を用いたマーケティング情報収集システムは、携帯電話に内蔵されたカメラとＧＰＳ機能を備え、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、広告主企業内イントラネット内に配置された広告を発信した各企業のデータ収集サーバで画像を発信した場所を含むマーケティング情報を収集し、画像の元となる広告主企業内イントラネット内に配置された広告を発信した各企業のホームページサーバへ対応する画像を発信した場所を含むマーケティング情報を送付する。
【００４２】
第１６の発明のカメラ付き携帯電話を用いたマーケティング情報収集システムは、携帯電話に内蔵されたカメラとＧＰＳ機能を備え、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、広告主企業内イントラネット内に配置された広告を発信した各企業のデータ収集サーバで画像を発信した場所を含むマーケティング情報を収集し、画像の元となる広告主企業内イントラネット内に配置された広告を発信した各企業のホームページサーバへ対応する画像を発信した場所を含むマーケティング情報を送付する。
【００４３】
第１７の発明のカメラ付き携帯電話を用いたマーケティング情報収集システムは、携帯電話に内蔵されたカメラとＧＰＳ機能を備え、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、広告主企業内イントラネット内に配置された広告を発信した各企業のデータ収集サーバで画像を発信した場所を含むマーケティング情報を収集し、画像の元となる広告主企業内イントラネット内に配置された広告を発信した各企業のホームページサーバへ対応する画像を発信した場所を含むマーケティング情報を送付する。
【００４４】
第１８の発明のカメラ付き携帯電話を用いたマーケティング情報収集システムは、携帯電話に内蔵されたカメラとＧＰＳ機能を備え、カメラによって撮像された画像から画像情報を認識するための、インタネット内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、インタネット内に配置された広告を発信した各企業のデータ収集サーバで画像を発信した場所を含むマーケティング情報を収集し、画像の元となるインタネット内に配置された広告を発信した各企業のホームページサーバへ対応する画像を発信した場所を含むマーケティング情報を送付する。
【００４５】
第１９の発明のカメラ付き携帯電話を用いたマーケティング情報収集システムは、携帯電話に内蔵されたカメラとＧＰＳ機能を備え、カメラによって撮像された画像から画像情報を認識するための、携帯電話網内に配置された画像識別システムと、その認識結果を携帯電話に送り返し、さらには得られた認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、インタネット内に配置された広告を発信した各企業のデータ収集サーバで画像を発信した場所を含むマーケティング情報を収集し、画像の元となるインタネット内に配置された広告を発信した各企業のホームページサーバへ対応する画像を発信した場所を含むマーケティング情報を送付する。
【００４６】
第２０の発明のカメラ付き携帯電話を用いたマーケティング情報収集システムは、携帯電話に内蔵されたカメラとＧＰＳ機能を備え、カメラによって撮像された画像から画像情報を認識するための、携帯電話に内蔵された画像識別システムと、その認識結果から目的、および関連するホームページのアドレスを検索するためにインタネット内に配置されたホームページ検索システムを備えたインタネットホームページ接続システムによるホームページの接続結果を収集し、画像の送信元となるカメラ付き携帯電話の画像を発信した場所を含むユーザ情報と照合することにより、インタネット内に配置された広告を発信した各企業のデータ収集サーバで画像を発信した場所を含むマーケティング情報を収集し、画像の元となるインタネット内に配置された広告を発信した各企業のホームページサーバへ対応する画像を発信した場所を含むマーケティング情報を送付する。
【００４７】
第２１の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、撮像した画像を携帯電話網やインタネットを通じて、該当の認識システムであるＯＣＲシステムに転送し、ＯＣＲシステムは得られた画像から文字の部分を、さらにはホームページのアドレスもしくはそれに関連する文字列部分を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００４８】
第２２の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、撮像した画像を携帯電話網やインタネットを通じて、該当の認識システムであるＯＣＲシステムに転送し、ＯＣＲシステムは得られた画像から文字の部分を、さらにはホームページのアドレスもしくはそれに関連する文字列部分を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００４９】
第２３の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、撮像した画像を携帯電話網やインタネットを通じて、該当の認識システムである画像識別システムに転送し、画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００５０】
第２４の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、撮像した画像を携帯電話網やインタネットを通じて、該当の認識システムである画像識別システムに転送し、画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００５１】
第２５の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、撮像した画像を携帯電話網やインタネットを通じて、該当の認識システムであるコードデコーダ付画像識別システムに転送し、コードデコーダ付画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００５２】
第２６の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、撮像した画像を携帯電話網やインタネットを通じて、該当の認識システムであるコードデコーダ付画像識別システムに転送し、コードデコーダ付画像識別システムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００５３】
第２７の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、撮像した画像を携帯電話網やインタネットを通じて、該当の認識システムであるパターンマッチングシステムに転送し、パターンマッチングシステムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００５４】
第２８の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、撮像した画像を携帯電話網やインタネットを通じて、該当の認識システムであるパターンマッチングシステムに転送し、パターンマッチングシステムは得られた画像からホームページのアドレスもしくはそれに関連する情報を抽出し、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００５５】
第２９の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、携帯電話の内蔵するＯＣＲシステムで得られた画像から文字の部分を、さらにはホームページのアドレスもしくはそれに関連する文字列部分を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００５６】
第３０の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が文字認識対象であるなら、携帯電話の内蔵するＯＣＲシステムで得られた画像から文字の部分を、さらにはホームページのアドレスもしくはそれに関連する文字列部分を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００５７】
第３１の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、携帯電話の内蔵する画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００５８】
第３２の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が商標認識対象であるなら、携帯電話の内蔵する画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００５９】
第３３の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、携帯電話の内蔵するコードデコーダ付画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００６０】
第３４の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像がバーコードのようなコード認識対象であるなら、携帯電話の内蔵するコードデコーダ付画像識別システムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００６１】
第３５の発明のカメラ付き携帯電話を用いたインタネットホームページ接続方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、携帯電話の内蔵するパターンマッチングシステムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現する。
【００６２】
第３６の発明のカメラ付き携帯電話を用いたマーケティング情報収集方法は、携帯電話のユーザがホームページアドレスが印刷されたホームページアドレスをもつ広告を携帯電話のカメラを用いて撮像し、撮像結果をディスプレイに表示し、画像が広告のような文字認識、商標認識、バーコードのようなコード認識、または写真のようなパターンマッチング認識の対象の画像であるかを指定し、画像が写真のようなパターンマッチング認識対象であるなら、携帯電話の内蔵するパターンマッチングシステムで得られた画像からホームページのアドレスもしくはそれに関連する情報を抽出し、携帯電話網やインタネットを通じて、その結果をホームページ検索システムに転送し、ホームページ検索システムは認識結果に対して該当するホームページがあるかどうかをホームページ検索システム内に設けた企業のホームページアドレスや商品宣伝用アドレスと対応付けるデータベースと照合し、適合するホームページアドレスを検索するとともに、関連する情報を示すホームページのリストを作成し、携帯電話に転送し、ユーザはその結果データを携帯電話の上で参照し、認識結果として適切なものを選択することにより、目的のホームページへの接続をホームページサーバとの通信により実現し、ホームページ検索システムは検索結果の携帯電話への出力のタイミングで、目的のホームページを管理する広告主企業のデータ収集サーバに対して、ＯＣＲシステムへ入力された画像の情報と認識結果を送信し、携帯電話にＧＰＳ機能による携帯電話の位置情報を抽出するＧＰＳ回路が設けられている場合は、画像の情報と認識結果とともに携帯電話の現在位置も同時に送信し、データ収集サーバは、受信した文字や画像の認識結果およびホームページのリストをもとに、広告主が発信した広告の特定を行い、その結果をもとにデータ収集サーバ内にあるマーケティングデータベースを更新する。
【００６３】
【発明の実施の形態】
次に、本発明の実施の形態について図面を参照して説明する。
【００６４】
図１は本発明のカメラ付き携帯電話を用いたインタネットホームページ接続システムおよびマーケティング情報収集システムとその方法の一実施の形態を示すブロック図である。
【００６５】
図２は本発明のカメラ付き携帯電話を用いたインタネットホームページ接続システムおよびマーケティング情報収集システムとその方法の携帯電話の構成を示す構成図である。
【００６６】
図１および図２を参照すると、本発明のインタネットホームページ接続システムおよびマーケティング情報収集システムを運用する対象となるカメラ付き携帯電話１１は、マイクと受話器および変復調回路からなる電話機部１１０、ディスプレイとキーパッドからなる操作部１１１と、ＣＰＵとメモリからなるプロセッサ部１１３と、カメラ１１４と、送受信回路１１５と、およびアンテナ１１２から構成されるディジタル方式の携帯電話であるとする。
【００６７】
本発明のインタネットホームページ接続システムは、携帯電話１１に内蔵されたカメラ１１４と、カメラ１１４によって撮像された広告３の画像から文字情報を認識するための、インタネット２内に配置されたＯＣＲシステム２２ａ（文字を含んだ画像から文字情報を識別するための広義の手段をＯＣＲシステムと呼ぶこととする）と、その結果を携帯電話１１に送り返し、さらには得られた認識結果から目的、および関連するホームページのアドレスを検索するために、広告の持つ文字情報や画像情報、ホームページアドレスの文字情報と、関連するホームページのアドレスとの対応付けを記録したデータベースを持ち、それを参照することによって検索されたホームページのアドレスを携帯電話１１へと出力するための、インタネット２内に配置されたホームページ検索システム２１から構成される。
【００６８】
このＯＣＲシステム２２ａと、ホームページ検索システム２１はともにインタネット２に直接接続されていて、携帯電話１１とは携帯電話網１やインタネット２を通して接続されることになる。
【００６９】
さらに本発明のマーケティング情報収集システムは、上記ホームページ検索システム２１と、ＯＣＲシステム２２ａと、前記認識結果にもとづいたホームページを管理するホームページサーバ２ａ０と、ホームページサーバ２ａ０と同じ広告主企業の広告主企業内イントラネット２ａ内に備えられたデータ収集サーバ２ａ１から構成される。
【００７０】
なお本実施の形態では、データ収集を広告主企業が行うことを前提にホームページサーバ２ａ０およびデータ収集サーバ２ａ１は同一のイントラネット内の配置としたが、データ収集を広告代理店が行うなど、別々の企業の可能性もあるので、本発明の構成そのものはネットワーク構成には拘束されない。
【００７１】
また、図１では広告主企業は１つだけになっているが、ホームページ検索システム２１の運営上、広告主企業は複数あるのが通常である。
【００７２】
次に、本発明の第１の実施の形態の動作について、図１、図２、図３、および図４を参照して詳細に説明する。
【００７３】
図３は本発明のカメラ付き携帯電話を用いたインタネットホームページ接続システムおよびマーケティング情報収集システムとその方法の一実施の形態の動作を示す流れ図である。
【００７４】
図４は本発明の第１および第２の実施の形態のカメラ付き携帯電話を用いたインタネットホームページ接続システムおよびマーケティング情報収集システムとその方法の画像識別手段にＯＣＲシステムを設けた場合のホームページアドレス抽出の動作を示す構成図である。
【００７５】
まず、携帯電話１１のユーザが街中でホームページアドレスが印刷されたホームページアドレスをもつ広告３ａ（図内のアドレスや会社名は架空である）に目を止め、興味を持ったとする。
【００７６】
ユーザはホームページアドレスをもつ広告３ａに示されているホームページのアドレスをお気に入りに登録するため、広告の画像のうちアドレス表記部分３１ａをカメラ１１４を用いて撮像する（ステップＳ１）。
【００７７】
撮像結果はすぐに操作部１１１のディスプレイに表示され、画像が正しく撮像できたかどうかを確認する状態になる（ステップＳ２）。
【００７８】
画像が正しければユーザは、この画像が通常の写真であるか、広告のような文字認識、商標認識、バーコードのようなコード認識、または写真のようなパターンマッチング認識の対象の画像であるかを指定する（ブランチＢ１）。本第１の実施の形態では文字認識に該当する。
【００７９】
もし通常の写真としての撮像ならば画像をそのままプロセッサ部１１３のメモリに保存して処理終了となるが（ステップＳ１０）、画像の認識対象であるなら、撮像した画像を携帯電話網１やインタネット２を通じて、本第１の実施の形態の該当の認識システムであるＯＣＲシステム２２ａに転送する（ステップＳ３）。
【００８０】
ＯＣＲシステム２２ａは得られた画像から文字の部分を、さらにはホームページのアドレスもしくはそれに関連する文字列部分を抽出し、その結果をホームページ検索システム２１に転送する（ステップＳ４）。
【００８１】
ホームページ検索システム２１は認識結果に対して該当するホームページがあるかどうかをホームページ検索システム２１内に設けた企業のホームページアドレスや商品宣伝用アドレスと対応付けるデータベースと照合し、適合するホームページアドレスを検索するとともに、関連する情報を示すホームページのリストを作成し、携帯電話１１に転送する（ステップＳ５）。
【００８２】
ユーザはその結果データを携帯電話１１の上で参照し、認識結果として最も適切なものを選択することにより、目的のホームページ４への接続をホームページサーバ２ａ０との通信という形で実現する（ステップＳ６）。
【００８３】
最後に、ユーザが携帯電話１１に所定のコマンドを入力することによりお気に入りへの登録を行う（ステップＳ７）。
【００８４】
以上説明したインタネットホームページ接続システムにおけるデータの動きは図４に示す通りとなる。
【００８５】
以上がインタネットホームページ接続システムとしての動作である。
【００８６】
ここでホームページ検索システム２１は検索結果の携帯電話１１への出力のタイミングで、目的のホームページを管理する広告主企業の広告主企業内イントラネット２ａに属するデータ収集サーバ２ａ１に対して、ＯＣＲシステム２２ａへ入力された画像の情報と認識結果を送信する（ステップＳ８）。
【００８７】
ここでもし、携帯電話１１にＧＰＳ機能による携帯電話１１の位置情報を抽出するＧＰＳ回路１１７が設けられている場合は、前記画像の情報と認識結果とともに携帯電話１１の現在位置も同時に送信することになる。
【００８８】
データ収集サーバ２ａ１は、受信した文字や画像の認識結果および前述のホームページのリストをもとに、広告主が発信した広告のうち、たとえばどの企業の、どの製品の、どういった表示の、いつ掲示されたものであるかなどといった広告の特定を行い、その結果をもとにデータ収集サーバ２ａ１内にあるマーケティングデータベースを更新する処理を行う（ステップＳ９）。
【００８９】
あわせて、携帯電話１１のユーザ情報を読み取った場合や、ユーザが後にホームページ４上でアンケート等に入力を行った場合は前述のマーケティングデータベースや識別結果の履歴と照合するなどして識別された広告の効果がそれに応じて上昇したというデータを記録する。
【００９０】
以上がマーケティング情報収集システムとしての動作となる。
【００９１】
これらをすべて総括して、本発明の第１の実施の形態とする。
【００９２】
上述した本発明の第１の実施の形態においては、カメラ付き携帯電話１１から撮像された画像の中の文字部分を認識するＯＣＲシステム２２ａをインタネット２内に設置していたが、これを第２の実施の形態として、ＯＣＲシステム２２ａの対象となる画像として、携帯電話１１および同種の携帯電話からの撮像結果のみを扱う場合は、通信時間短縮のため携帯電話網１の内部に設置しても良い。
【００９３】
さらに、第３の実施の形態として、認識対象の画像としてホームページアドレスもしくは企業名、商品名を示す文字列を含む画像に限定する場合は、ＯＣＲシステム２２ａは文字認識のみの機能ですむため携帯電話１１内部に図２内の画像および文字認識部１１６として内蔵し、インタネットホームページ接続システムの実施の形態として新たに構成する部分はインタネット２内のホームページ検索システム２１のみとしてもよい。
【００９４】
次に、図５は本発明の第４および第５の実施の形態のカメラ付き携帯電話を用いたインタネットホームページ接続システムおよびマーケティング情報収集システムとその方法の画像識別手段に画像識別システムを設けた場合のホームページアドレス抽出の動作を示す構成図であが、第１、第２の実施の形態におけるＯＣＲシステム２２ａを拡張し、第４、第５の実施の形態として、認識対象の画像をホームページアドレスを示す文字列だけでなく広告主の企業の名称、ロゴマーク、製品の登録商標名の文字や記号の画像を含めた形とし、その認識結果も同一の企業であっても製品のロゴが異なれば別のホームページアドレスを出力する手段となるような画像識別システム２２ｂに置き換えても良い。この場合、撮像対象となる広告はアドレス表記部分３１ｂに示す商標のみの広告３ｂも適用可能になる。
【００９５】
本発明の第４および第５の実施の形態の動作については、広告のような文字認識、商標認識、バーコードのようなコード認識、または写真のようなパターンマッチング認識の対象の画像であるかを指定する（ブランチＢ１）ところで、商標認識に該当するため、撮像した画像を携帯電話網１やインタネット２を通じて、本第４および第５の実施の形態の該当の認識システムである画像識別システム２２ｂに転送する（ステップＳ３）。
【００９６】
画像識別システム２２ｂは得られた画像からホームページのアドレスもしくはそれに関連する文字列部分を抽出し、その結果をホームページ検索システム２１に転送する（ステップＳ４）。
【００９７】
図６は本発明の第６および第７の実施の形態のカメラ付き携帯電話を用いたインタネットホームページ接続システムおよびマーケティング情報収集システムとその方法の画像識別手段にコードデコーダ付画像識別システムを設けた場合のホームページアドレス抽出の動作を示す構成図であるが、第１、第２の実施の形態におけるＯＣＲシステム２２ａを拡張し、第６、第７の実施の形態として、認識の対象として広告３内にあらかじめ関連する詳細情報、たとえばその広告が掲載されている場所、ポスターや看板、電光掲示板と言った広告の形態、広告が掲載されている期間や時間、製品や商標の情報と言った広告の識別情報をコード化して印字したバーコードや２次元コードを用意し、そのコード自体の画像、もしくはそれを埋め込んだ形態のバーコードを埋め込んだ広告３ｃのアドレス表記部分３１ｃを撮像したとき同時にコードの情報を取り込む手段と、そのコードを解読するためのコードデコーダを追加したコードデコーダ付画像識別システム２２ｂに置き換えても良い。
【００９８】
本発明の第６および第７の実施の形態の動作については、広告のような文字認識、商標認識、バーコードのようなコード認識、または写真のようなパターンマッチング認識の対象の画像であるかを指定する（ブランチＢ１）ところで、バーコードのようなコード認識に該当するため、撮像した画像を携帯電話網１やインタネット２を通じて、本第６および第７の実施の形態の該当の認識システムであるコードデコーダ付画像識別システム２２ｃに転送する（ステップＳ３）。
【００９９】
コードデコーダ付画像識別システム２２ｃは得られた画像からホームページのアドレスもしくはそれに関連する情報を抽出し、その結果をホームページ検索システム２１に転送する（ステップＳ４）。
【０１００】
図７は本発明の第８および第９の実施の形態のカメラ付き携帯電話を用いたインタネットホームページ接続システムおよびマーケティング情報収集システムとその方法の画像識別手段にパターンマッチングシステムを設けた場合のホームページアドレス抽出の動作を示す構成図であるが、さらに第８、第９の実施の形態として、アドレス表記部分３１ｄに示すように人物像と商標のみの広告３ｄにタレントやアイドルの写真が入っている場合など、ユーザが人物像と商標のみの広告３ｄの全体のイメージに興味を示す場合もあるため、前述のＯＣＲシステム２２ａを拡張し、広告画像のデータベースとのパターンマッチングを行い、撮像された広告の画像そのものを認識するパターンマッチングシステム２２ｄに置き換えても良い。
【０１０１】
本発明の第８および第９の実施の形態の動作については、広告のような文字認識、商標認識、バーコードのようなコード認識、または写真のようなパターンマッチング認識の対象の画像であるかを指定する（ブランチＢ１）ところで、写真のようなパターンマッチング認識に該当するため、撮像した画像を携帯電話網１やインタネット２を通じて、本第８および第９の実施の形態の該当の認識システムであるパターンマッチングシステム２２ｄに転送する（ステップＳ３）。
【０１０２】
パターンマッチングシステム２２ｄは得られた画像からホームページのアドレスもしくはそれに関連する情報を抽出し、その結果をホームページ検索システム２１に転送する（ステップＳ４）。
【０１０３】
【発明の効果】
以上説明したように、本発明のカメラ付き携帯電話を用いたインタネットホームページ接続システムおよびマーケティング情報収集システムとその方法は、
第１の効果は、インタネットホームページ接続システムは、アドレスの入力を簡略化し、さらにはユーザに対して新たなホームページのアクセスに対する意欲を高め、携帯電話を用いたインタネット経由でのユーザとサービスを提供する企業とのコミュニケーションをより活発化させるという効果がある。
【０１０４】
その理由は、ホームページアドレスの文字を画像認識により携帯電話内のディジタル情報に変換する機能を設けたことによるからである。
【０１０５】
第２の効果は、マーケティング情報収集システムにおいては、強力なマーケティングデータベースの構築が容易になるという効果と、従来の媒体の広告に添えられたホームページアドレスの表記そのものに対する宣伝効果が上昇するという相乗効果がある。
【０１０６】
その理由は、収集の手段としてホームページ内の広告のみならず、携帯電話により紙媒体などの広告媒体を撮像し、その画像をもとにホームページの検索を要求する動作そのものを集計し、要求のもととなった媒体の種類を集計し、受信した文字や画像の認識結果およびホームページのリストをもとに、広告主が発信した広告うち、企業の、どの製品の、どういった表示の、いつ掲示されたものであるかなどといった広告の特定を行い、その結果をもとにマーケティングデータベースを更新するからである。
【図面の簡単な説明】
【図１】本発明のカメラ付き携帯電話を用いたインタネットホームページ接続システムおよびマーケティング情報収集システムとその方法の一実施の形態を示すブロック図である。
【図２】本発明のカメラ付き携帯電話を用いたインタネットホームページ接続システムおよびマーケティング情報収集システムとその方法の携帯電話の構成を示す構成図である。
【図３】本発明のカメラ付き携帯電話を用いたインタネットホームページ接続システムおよびマーケティング情報収集システムとその方法の一実施の形態の動作を示す流れ図である。
【図４】本発明の第１および第２の実施の形態のカメラ付き携帯電話を用いたインタネットホームページ接続システムおよびマーケティング情報収集システムとその方法の画像識別手段にＯＣＲシステムを設けた場合のホームページアドレス抽出の動作を示す構成図である。
【図５】本発明の第４および第５の実施の形態のカメラ付き携帯電話を用いたインタネットホームページ接続システムおよびマーケティング情報収集システムとその方法の画像識別手段に画像識別システムを設けた場合のホームページアドレス抽出の動作を示す構成図である。
【図６】本発明の第６および第７の実施の形態のカメラ付き携帯電話を用いたインタネットホームページ接続システムおよびマーケティング情報収集システムとその方法の画像識別手段にコードデコーダ付画像識別システムを設けた場合のホームページアドレス抽出の動作を示す構成図である。
【図７】本発明の第８および第９の実施の形態のカメラ付き携帯電話を用いたインタネットホームページ接続システムおよびマーケティング情報収集システムとその方法の画像識別手段にパターンマッチングシステムを設けた場合のホームページアドレス抽出の動作を示す構成図である。
【符号の説明】
１　　携帯電話網
１１　　携帯電話
１１０　　電話機部
１１１　　操作部
１１２　　アンテナ
１１３　　プロセッサ部
１１４　　カメラ
１１５　　送受信回路
１１６　　画像および文字認識部
１１７　　ＧＰＳ回路
２　　インタネット
２１　　ホームページ検索システム
２２ａ　　ＯＣＲシステム
２２ｂ　　画像識別システム
２２ｃ　　コードデコーダ付画像識別システム
２２ｄ　　パターンマッチングシステム
２ａ　　広告主企業内イントラネット
２ａ０　　ホームページサーバ
２ａ１　　データ収集サーバ
３　　広告
３ａ　　ホームページアドレスをもつ広告
３１ａ，３１ｂ，３１ｃ，３１ｄ　　アドレス表記部分
３ｂ　　商標のみの広告
３ｃ　　バーコードを埋め込んだ広告
３ｄ　　人物像と商標のみの広告
４　　ホームページ
【図１】
2004038367.tif 000003
【図２】
2004038367.tif 000004
【図３】
2004038367.tif 000005
【図４】
2004038367.tif 000006
【図５】
2004038367.tif 000007
【図６】
2004038367.tif 000008
【図７】
2004038367.tif 000009